(57)【特許請求の範囲】
【請求項１】
ヘッドバンド（１０）と、
前記ヘッドバンド（１０）の両端に装着される２つの耳カップ（２０）と、
前記ヘッドバンド（１０）と前記耳カップ（２０）とを連結する第１連結片（３０）及び第２連結片（４０）と、
を有し、
前記ヘッドバンド（１０）は、前記ヘッドバンド（１０）の長手方向に直交する方向に突出する２つの支持部（１０７，１０９）と、前記支持部（１０７，１０９）と所定間隔を隔てた位置で前記支持部（１０７，１０９）と同じ方向に突出する２つの突部（１０８，１１０）と、を有し、
前記第１連結片（３０）は、一端が前記耳カップ（２０）に接続される本体（３１）と、前記本体（３１）の他端に一体形成された回転軸部（３２）と、を有し、
前記第２連結片（４０）は、前記支持部（１０７，１０９）が挿入される挿通孔（４６）と、前記挿通孔（４６）の周りに形成された複数の歯を有する歯部（４８）と、前記回転軸部（３２）を回転自在に保持する軸受部（４２）と、を有し、
前記耳カップ（２０）は、前記支持部（１０７，１０９）を中心に前記第２連結片（４０）及び前記第１連結片（３０）を介して回転可能であり、前記歯部（４８）と前記突部（１０８，１０９）とが噛み合う複数の位置で停止可能であり、
前記ヘッドバンド（１０）は、両端に押え面（１１１，１１２）を有し、
前記回転軸部（３２）は、所定位置で前記押え面（１１１，１１２）と接触する回転停止部（３３）を有し、
前記回転停止部（３３）が前記押え面（１１１，１１２）に接触することで、前記耳カップ（２０）を前記軸受部（４２）に対して固定することを特徴とする、耳当て装置。
【請求項２】
請求項１において、
前記第２連結片（４０）は、Ｊ字型の横断面形状を有し、Ｊ字型の曲線部が前記軸受部（４２）であり、Ｊ字型の直線部に前記挿通孔（４６）が形成することを特徴とする、耳当て装置。
【請求項３】
請求項１において、
前記ヘッドバンド（１０）は、帯状で側面視が弧状の第１のバンド部材（１０１）と第２のバンド部材（１０２）とを組み合わせて構成され、
前記第１のバンド部材（１０１）及び前記第２のバンド部材（１０２）は、それぞれ長さ方向に延びる摺動孔（１０３，１０４）が形成され、各バンド部材の端部付近に設けた抜止めの係合子（１０５，１０６）が相手方バンド部材の摺動孔（１０３，１０４）に摺動自在でかつ組立て後は脱出不可に結合されたものであり、
前記押え面（１１１，１１２）は、各バンド部材の係合子（１０５，１０６）が設けられた端部と反対側の端部に形成することを特徴とする、耳当て装置。
【請求項４】
請求項１〜３のいずれか１項において、
前記回転停止部（３３）は、前記回転軸部（３２）に前記本体（３１）が接続する部分の反対側に突出して設けられ、前記回転停止部（３３）が前記押え面（１１１，１１２）に対し押し代を有して接触していることを特徴とする、耳当て装置。
【発明の詳細な説明】
【技術分野】
【０００１】
本発明は、ヘッドバンドと耳カップとを所定角度に設定可能な耳当て装置に関する。
【背景技術】
【０００２】
耳あて装置は、人の頭部形状に沿って湾曲しているヘッドバンドを有し、ヘッドバンドの両端に設けた耳カップに保温カバーを装着したものが古くから知られている。
【０００３】
ヘッドバンドに対して耳カップが内側に折り畳まれるようにヒンジ軸を中心に回転自在な耳当て装置が提案されている（特許文献１）。また、ヘッドバンドに対して耳当て装置を装着したときの前後方向に耳カップが回転する耳当て装置が提案されている（特許文献２）。さらに、ヘッドバンドに対して耳カップが内側に折り畳まれるようにヒンジ軸を中心に回転自在であって、かつ、ヘッドバンドに対して耳当て装置を装着したときの前後方向に耳カップが回転する耳当て装置が提案されている（特許文献３）。そして、いずれの耳当て装置においても、ヘッドバンドが長手方向に伸縮自在の構造を有している。
【先行技術文献】
【特許文献】
【０００４】
【特許文献１】特開２０１２−３４９３８号公報
【特許文献２】特開２０１３−１３２４２６号公報
【特許文献３】特開２００８−２２６００１号公報
【発明の概要】
【発明が解決しようとする課題】
【０００５】
本発明は、ヘッドバンドと耳カップとを所定角度に設定可能な耳当て装置を提供することを目的とする。
【課題を解決するための手段】
【０００６】
本発明は上述の課題の少なくとも一部を解決するためになされたものであり、以下の態様または適用例として実現することができる。
【０００７】
［適用例１］本発明に係る耳当て装置（１）の一態様は、
ヘッドバンド（１０）と、
前記ヘッドバンド（１０）の両端に装着される２つの耳カップ（２０）と、
前記ヘッドバンド（１０）と前記耳カップ（２０）とを連結する第１連結片（３０）及び第２連結片（４０）と、
を有し、
前記ヘッドバンド（１０）は、前記ヘッドバンド（１０）の長手方向に直交する方向に突出する２つの支持部（１０７，１０９）と、前記支持部（１０７，１０９）と所定間隔を隔てた位置で前記支持部（１０７，１０９）と同じ方向に突出する２つの突部（１０８，１１０）と、を有し、
前記第１連結片（３０）は、一端が前記耳カップ（２０）に接続される本体（３１）と、前記本体（３１）の他端に一体形成された回転軸部（３２）と、を有し、
前記第２連結片（４０）は、前記支持部（１０７，１０９）が挿入される挿通孔（４６）と、前記挿通孔（４６）の周りに形成された複数の歯を有する歯部（４８）と、前記回転軸部（３２）を回転自在に保持する軸受部（４２）と、を有し、
前記耳カップ（２０）は、前記支持部（１０７，１０９）を中心に前記第２連結片（４０）及び前記第１連結片（３０）を介して回転可能であり、前記歯部（４８）と前記突部（１０８，１０９）とが噛み合う複数の位置で停止可能であり、
前記ヘッドバンド（１０）は、両端に押え面（１１１，１１２）を有し、
前記回転軸部（３２）は、所定位置で前記押え面（１１１，１１２）と接触する回転停止部（３３）を有し、
前記回転停止部（３３）が前記押え面（１１１，１１２）に接触することで、前記耳カップ（２０）を前記軸受部（４２）に対して固定することを特徴とする。
【０００８】
本適用例に係る耳当て装置によれば、ヘッドバンドと耳カップとを所定角度に設定する
ことができる。また、本適用例に係る耳当て装置によれば、耳カップを軸受部に対して所定位置で固定することができる。
【００１１】
［適用例２］本発明に係る耳当て装置（１）の一態様において、
前記第２連結片（４０）は、Ｊ字型の横断面形状を有し、Ｊ字型の曲線部が前記軸受部（４２）であり、Ｊ字型の直線部に前記挿通孔（４６）が形成することができる。
【００１２】
本適用例に係る耳当て装置によれば、Ｊ字型の曲線部側から支持部を挿通孔に容易に挿入することができる。
【００１３】
［適用例３］本発明に係る耳当て装置（１）の一態様において、
前記ヘッドバンド（１０）は、帯状で側面視が弧状の第１のバンド部材（１０１）と第２のバンド部材（１０２）とを組み合わせて構成され、
前記第１のバンド部材（１０１）及び前記第２のバンド部材（１０２）は、それぞれ長さ方向に延びる摺動孔（１０３，１０４）が形成され、各バンド部材の端部付近に設けた抜止めの係合子（１０５，１０６）が相手方バンド部材の摺動孔（１０３，１０４）に摺動自在でかつ組立て後は脱出不可に結合されたものであり、
前記押え面（１１１，１１２）は、各バンド部材の係合子（１０５，１０６）が設けられた端部と反対側の端部に形成することができる。
［適用例４］本発明に係る耳当て装置（１）の一態様において、
前記回転停止部（３３）は、前記回転軸部（３２）に前記本体（３１）が接続する部分の反対側に突出して設けられ、前記回転停止部（３３）が前記押え面（１１１，１１２）に対し押し代を有して接触していることができる。
【００１４】
本適用例に係る耳当て装置によれば、使用しない際にはヘッドバンドを縮めてコンパクトにすることができる。
【発明の効果】
【００１７】
本発明に係る耳当て装置によれば、ヘッドバンドと耳カップとを所定角度に設定することができる。
【図面の簡単な説明】
【００１８】
【図１】実施の形態に係る耳当て装置１の斜視図である。
【図２】ヘッドバンド１０の斜視図である。
【図３】ヘッドバンド１０の縦断面図である。
【図４】第２連結片４０の斜視図である。
【図５】ヘッドバンド１０、第１連結片３０及び第２連結片４０の連結構造を説明する一部縦断面の側面図である。
【図６】ヘッドバンド１０、第１連結片３０及び第２連結片４０の連結構造を説明する側面図である。
【図７】第２連結片４０に対するヘッドバンド１０の回転構造を説明する連結部分の正面図である。
【図８】第２連結片４０に対するヘッドバンド１０の回転構造を説明する連結部分の背面図である。
【図９】耳カップ２０の縦断面図である。
【図１０】耳カップ２０の背面図である。
【図１１】耳当て装置１を人の頭部に装着した状態を説明する側面図である。
【図１２】実施の形態に係る耳当て装置１を折り畳んだ状態の斜視図である。
【図１３】変形例に係る耳当て装置の第２連結片４０の斜視図である。
【図１４】変形例に係る耳当て装置のヘッドバンド１０、第１連結片３０及び第２連結片４０の連結構造を説明する一部縦断面の側面図である。
【図１５】変形例に係る耳当て装置のヘッドバンド１０、第１連結片３０及び第２連結片４０の連結構造を説明する側面図である。
【図１６】変形例に係る耳当て装置のヘッドバンド１０、第１連結片３０及び第２連結片４０の連結構造を説明する側面図である。
【図１７】変形例に係る耳当て装置の第２連結片４０に対するヘッドバンド１０の回転構造を説明する連結部分の正面図である。
【図１８】変形例に係る耳当て装置の第２連結片４０に対するヘッドバンド１０の回転構造を説明する連結部分の正面図である。
【発明を実施するための形態】
【００１９】
以下、本発明の実施の形態について図面を参照しながら詳細に説明する。
【００２０】
本発明の一実施の形態に係る耳当て装置１は、ヘッドバンド１０と、前記ヘッドバンド１０の両端に装着される２つの耳カップ２０と、前記ヘッドバンド１０と前記耳カップ２０とを連結する第１連結片３０及び第２連結片４０と、を有し、前記ヘッドバンド１０は、前記ヘッドバンド１０の長手方向に直交する方向に突出する２つの第１及び第２支持部１０７，１０９と、前記第１及び第２支持部１０７，１０９と所定間隔を隔てた位置で前記支持部１０７，１０９と同じ方向に突出する２つの第１及び第２突部１０８，１１０と、を有し、前記第１連結片３０は、一端が前記耳カップ２０に接続される本体３１と、前記本体３１の他端に一体形成された回転軸部３２と、を有し、前記第２連結片４０は、前記第１及び第２支持部１０７，１０９が挿入される第２挿通孔４６と、前記第２挿通孔４６の周りに形成された複数の歯を有する歯部４８と、前記回転軸部３２を回転自在に保持する軸受部４２と、を有し、前記耳カップ２０は、前記第１及び第２支持部１０７，１０９を中心に前記第２連結片４０及び前記第１連結片３０を介して回転可能であり、前記歯部４８と前記第１及び第２突部１０８，１０９とが噛み合う複数の位置で停止可能であり、前記ヘッドバンド（１０）は、両端に押え面（１１１，１１２）を有し、前記回転軸部（３２）は、所定位置で前記押え面（１１１，１１２）と接触する回転停止部（３３）を有し、前記回転停止部（３３）が前記押え面（１１１，１１２）に接触することで、前記耳カップ（２０）を前記軸受部（４２）に対して固定することを特徴とする。
【００２１】
１．耳当て装置
まず、図１、図２を用いて、本実施の形態に係る耳当て装置１について説明する。図１は、本実施の形態に係る耳当て装置１の斜視図である。図２は、ヘッドバンド１０の斜視図である。なお、図１では保温カバー２の一部を破断して一点鎖線で示し、一方の耳カッ
プ２０を露出して示し、他方の耳カップ２０とヘッドバンド１０は保温カバー２の内部に収納されている。また、以下の説明では、図１のように耳カップ２０同士が向き合う側を内側（背面）とし、その内側の反対側を外側（正面）として説明する。
【００２２】
図１、図２において、耳当て装置１は、長さ方向に摺動自在に形成した２本の部材からなるヘッドバンド１０と、ヘッドバンド１０の自由端に回動自在に設けられた耳カップ２０とを有するものであって、これらヘッドバンド１０及び耳カップ２０に、布製の保温カバー２を被覆するものである。
【００２３】
より詳細には、耳当て装置１は、ヘッドバンド１０と、ヘッドバンド１０の両端に装着される２つの耳カップ２０と、ヘッドバンド１０と耳カップ２０とを連結する第１連結片３０及び第２連結片４０と、を有する。実施の形態において、ヘッドバンド１０、第１連結片３０、第２連結片４０及び耳カップ２０は、いずれもプラスチックの成形品である。これらの部品の成形に用いるプラスチックとしては、耐摩耗性や機械的強度に優れた例えば、ポリアセタール（ポリオキシメチレン（ＰＯＭ））が好ましい。
【００２４】
２．ヘッドバンド
図２、図３において、ヘッドバンド１０は、ともに帯状で側面視が弧状の第１のバンド部材１０１と第２のバンド部材１０２とを組み合わせて構成される。第１のバンド部材１０１及び第２のバンド部材１０２は、それぞれ長さ方向に延びる摺動孔１０３，１０４が形成される。
【００２５】
第１のバンド部材１０１の一端に第１係合子１０５を設け、第２のバンド部材１０２の一端に第２係合子１０６が設けられている。第１及び第２のバンド部材１０１，１０２の端部付近に設けられた抜止めの第１及び第２係合子１０５，１０６は、第１係合子１０５が第１のバンド部材１０１の外側表面に突出して形成され、また、第２係合子１０６が第２のバンド部材１０２の内側表面に突出して形成されている（図２，図３）。第１及び第２係合子１０５，１０６は、摺動孔１０３，１０４の幅よりも幅が広く形成されているため、第１及び第２係合子１０５，１０６が相手方バンド部材の摺動孔１０３，１０４に摺動自在でかつ組立て後は脱出不可に結合される。
【００２６】
ヘッドバンド１０は、第１のバンド部材１０１を第２のバンド部材１０２の内側表面（裏面）に当接し、第１係合子１０５を第２のバンド部材１０２の摺動孔１０４に下方から挿入し、また、第２係合子１０６は、第１のバンド部材１０１の摺動孔１０３に上方から挿入して両者を長さ方向に摺動自在に結合している。なお、第１及び第２のバンド部材１０１，１０２は、第１及び第２係合子１０５，１０６が相手方の摺動孔１０３，１０４内を摺動する範囲で全体の長さ調整が可能となる。そのため、耳当て装置１によれば、使用しない際にはヘッドバンド１０を縮めてコンパクトにすることができる。コンパクトに縮めた耳当て装置１は、持ち運びや収納に有利である。
【００２７】
第１及び第２係合子１０５，１０６が摺動孔１０３，１０４から外れないようにするために、第１及び第２係合子１０５，１０６は、断面形状が矩形の軸部と、軸部の上端にバンド部材の長手方向に直交する方向に摺動孔１０３，１０４より長い幅を有する抜止め頭部と、を有する。
【００２８】
第１及び第２のバンド部材１０１，１０２を組み立てるには、まず、第２のバンド部材１０２の内側表面に第１のバンド部材１０１を直交する方向に向けて当接し、第１のバンド部材１０１が有する第１係合子１０５を第２のバンド部材１０２の摺動孔１０４に挿入する。次いで、２つのバンド部材１０１，１０２を９０度回動してバンド部材を平行方向に向けると、摺動孔１０４から突出している第１係合子１０５の抜止め頭部が第２のバン
ド部材１０２の外側表面に係合状態で装着される。そして、摺動孔１０３を弾性変形させて広げて第２係合子１０６の抜け止め頭部をその間に押し込めば、組み立てできる。第２係合子１０６の抜け止め頭部の幅は摺動孔１０３の幅よりも広いので、組み立てた後は容易にはずれることは無い。
【００２９】
ヘッドバンド１０は、ヘッドバンド１０の長手方向に直交する方向に突出する２つの第１及び第２支持部１０７，１０９と、第１及び第２支持部１０７，１０９と所定間隔を隔てた位置で第１及び第２支持部１０７，１０９と同じ方向に突出する２つの第１及び第２突部１０８，１１０と、を有する。より詳細には、第１のバンド部材１０１の自由端付近の外側表面から第１支持部１０７及び第１突部１０８が突出し、第２のバンド部材１０２の自由端付近の外側表面から第２支持部１０９及び第２突部１１０が突出する。
【００３０】
第１支持部１０７と第２支持部１０９は基本的に同じ構造であり、ヘッドバンド１０の外側表面から延びる円柱状の軸部１０７ｂ，１０９ｂと、軸部１０７ｂ，１０９ｂの先端に抜け止め用の頭部１０７ａ，１０９ａと、を有する。軸部１０７ｂ，１０９ｂは、後述する第２連結片４０の第２挿通孔４６（図４〜図８）の直径と同じかがたつきが大きくならない程度にわずかに小さい直径を有し、第２挿通孔４６内で回転自在である。頭部１０７ａ，１０９ａは第２挿通孔４６よりも大きな直径を有する略半球状である。また、図７に示すように、頭部１０７ａ及び軸部１０７ｂは、軸部１０７ｂの中心を通る所定幅を有するスリット１０７ｃによって左右２つに分割されている。
【００３１】
第１突部１０８と第２突部１１０は基本的に同じ構造であり、第１及び第２支持部１０７，１０９よりもヘッドバンド１０の自由端から離れた位置にある。第１及び第２突部１０８，１１０は、ヘッドバンド１０の外表面から突出する多角柱状（円柱状であってもよいし、横断面円弧状の部分と多角形の部分とが組み合わされた柱状でもよい）であり、第１及び第２支持部１０７，１０９側の側面は後述する第２連結片４０（図４）の歯部４８の隣接する２つの歯に接触する。
【００３２】
ヘッドバンド１０は、両端に第１及び第２支持部１０７，１０９を中心とする円弧に沿って形成される押え面１１１，１１２を有する。より詳細には、押え面１１１は、第１のバンド部材１０１の自由端に、第１支持部１０７の軸部１０７ｂの中心軸を中心とする略半円の円弧の端面として形成され、押え面１１２は、第２のバンド部材１０２の自由端に、第２支持部１０９の軸部１０９ｂの中心軸を中心とする略半円の円弧の端面として形成される。押え面１１１，１１２は、各バンド部材の第１及び第２係合子１０５，１０６が設けられた端部と反対側の端部に形成する。
【００３３】
３．連結構造
次に、図４〜図１０を用いて、ヘッドバンド１０と耳カップ２０との連結構造について説明する。図４は、第２連結片４０の斜視図である。図５はヘッドバンド１０、第１連結片３０及び第２連結片４０の連結構造を説明する一部縦断面の側面図であり、図６はヘッドバンド１０、第１連結片３０及び第２連結片４０の連結構造を説明する側面図である。図７及び図８は、第２連結片４０に対するヘッドバンド１０の回転構造を説明する連結部分の正面図及び背面図である。図９は耳カップ２０の縦断面図であり、図１０は耳カップ２０の背面図である。
【００３４】
耳カップ２０は、ヘッドバンド１０に対し、第１連結片３０及び第２連結片４０を介して連結される。なお、２組の耳カップ２０と第１及び第２連結片３０，４０は同じ構造であるので、以下の説明では、右側の耳カップ２０と第１のバンド部材１０１との連結構造について説明する。
【００３５】
３−１．第２連結片
図４に示すように、第２連結片４０は、第１支持部１０７が挿入される第２挿通孔４６と、第２挿通孔４６の周りに形成された複数の歯を有する歯部４８と、後述する第１連結片３０の回転軸部３２を回転自在に保持する軸受部４２と、を有する。
【００３６】
第２連結片４０は、Ｊ字型の横断面形状を有し、Ｊ字型の曲線部が軸受部４２であり、Ｊ字型の直線部に第２挿通孔４６が形成される。第２連結片４０をＪ字型に形成することで、Ｊ字型の曲線部側から第１支持部１０７を第２挿通孔４６に容易に挿入することができる。歯部４８は、第２連結片４０のＪ字型の直線部の先端に形成される。
【００３７】
第２挿通孔４６は、横断面円形の貫通孔であり、第１係合子１０５の軸部１０７ｂと同じかがたつきが大きくならない程度にわずかに小さい内径を有し、貫通する方向の長さは軸部１０７ｂの長さと同じかがたつきが大きくならない程度にわずかに短い。
【００３８】
歯部４８は、半円状の平歯車であり、第２挿通孔４６の中心軸を中心とする半円上に形成された複数の歯を有する。
【００３９】
軸受部４２は、Ｊ字型の曲線部の内側面であり、縦断面が円弧状の曲面で形成される。軸受部４２の曲面は、後述する第１連結片３０の回転軸部３２（図５）の外径と同じかがたつきが大きくならない程度にわずかに大きい。第２連結片４０は、軸受部４２から第２連結片４０の外側面に貫通する第１挿通孔４４を有する。
【００４０】
第１挿通孔４４は、後述する第１連結片３０の本体３１を受け入れ可能で、かつ、第１連結片３０の回転軸部３２の長さよりも短い幅を有する。第１挿通孔４４は、軸受部４２（Ｊ字型の曲線部）に沿って内側から外側に長く形成され、第１連結片３０の本体３１が回転軸部３２を中心に回転することを許容する。第１挿通孔４４は、内側の端面に内停止面４４ａと、外側の端面に外停止面４４ｂと、を有する。内停止面４４ａは本体３１が内側に回転した際に当接し、外停止面４４ｂは本体３１が外側に回転した際に当接して、それ以上の回転を規制する。
【００４１】
３−２．第１連結片
図７，８，１０に示すように、第１連結片３０は、正面または背面から見て略Ｔ字状であり、帯状の本体３１と、本体３１の幅よりも長い回転軸部３２と、を有する。
【００４２】
図９，１０に示すように第１連結片３０の本体３１は、一端が耳カップ２０に接続され、また図５〜８に示すように他端に一体形成された回転軸部３２が第２連結片４０に回転自在に保持される。
【００４３】
図５，６に示すように、本体３１は、帯状であって、内側に屈曲する。本体３１は、本体３１の他方の端部にあって幅の狭い帯状の挿入部３４と、挿入部３４から外側に突出する抜け止め部３６と、を有する。回転軸部３２は、略円柱状であり、長手方向の中央付近で本体３１の一端と接続する。
【００４４】
３−３．耳カップ
図１，９，１０に示すように、耳カップ２０は、円板を緩やかに外側に湾曲させたカップ状であり、多数の貫通孔である透孔２２と、第１連結片３０が挿入される挿入孔２４と、カップ状の内側に突出するバンド係合口２５と、バンド保持ガイド２６と、を有する。
【００４５】
透孔２２は、耳当て装置１を装着した時に音を通過させることができ、人が耳あて装置１を装着したときに外部からの音を聞き取り易くするものである。
【００４６】
耳カップ２０の挿入孔２４、バンド係合口２５、及びバンド保持ガイド２６は、耳カップ２０の側面から一直線上に配置される。挿入孔２４の大きさは第１連結片３０の本体３１の外形とほぼ同じであり、バンド係合口２５とバンド保持ガイド２６の幅は挿入部３４の幅とほぼ同じである。
【００４７】
図９に示すように、挿入孔２４は、耳カップ２０の縦断面の中心よりも開口縁側に形成される。挿入孔２４が開口縁側に形成されることにより、使用者が耳当て装置１を頭部に装着した際に、耳カップ２０によって適度なホールド感を得ることができる。例えば、挿入孔２４が開口縁よりも離れた位置（図９の右寄り）に形成されると、ホールド感が弱くなり、使用者に外れそうな感覚を与える。
【００４８】
また、保温カバー２は、保温効果が高い布地で形成されるものであり、一端が開口された袋状に縫製しておき、耳カップ２０を被覆する。
【００４９】
３−４．連結工程
第１及び第２のバンド部材１０１，１０２、第１連結片３０、第２連結片４０、及び耳カップ２０は、それぞれ別々に成形され、これらを組み立てることで耳当て装置１を製造することができる。
【００５０】
まず、図５に示すように、第１連結片３０の本体３１を第１挿通孔４４に通す。回転軸部３２が軸受部４２上に軸受される。
【００５１】
次に、第１のバンド部材１０１の第１支持部１０７を第２挿通孔４６に通す。このとき、第２連結片４０はＪ字型であるため、内側から外側へ第１支持部１０７を真っ直ぐに第２挿通孔４６に通すことができる。頭部１０７ａは、スリット１０７ｃによって変形しながら第２挿通孔４６を通り、第２挿通孔４６を通過したところでスリット１０７ｃが開いて第２連結片４０の外表面と係合し、抜け止めとなる。第１突部１０８は、第２連結片４０の歯部４８と噛み合って回転を制限する。また、第１のバンド部材１０１の押え面１１１は、軸受部４２に保持された回転軸部３２の上端に接し、回転軸部３２の上方への移動を制限しつつ回転軸部３２を中心とした回転を許容する。
【００５２】
さらに、図９，１０に示すように、第１連結片３０の本体３１の挿入部３４を耳カップ２０の挿入孔２４及びバンド係合口２５に挿通させ、抜け止め部３６をバンド保持ガイド２６に係合させる。第１連結片３０は、本体３１と挿入部３４との幅の違いによる段差が本体３１の挿入孔２４内への移動を制限し、抜け止め部３６とバンド保持ガイド２６との係合が本体３１の抜け方向への移動を制限する。なお、図９，１０では第１連結片３０及び第２連結片４０を省略して示している。
【００５３】
この様にして組み立てられた耳当て装置１は、図６に示すように、本体３１が回転軸部３２を中心に内停止面４４ａと外停止面４４ｂとの間で第１連結片３０が回転可能となり、その結果、耳カップ２０を内側に折り畳むことができる。
【００５４】
また、図７，８に示すように、第１支持部１０７は第２挿通孔４６内で回転自在であるため、第１バンド部材１０１と耳カップ２０とは第１支持部１０７を中心に第２連結片４０及び第１連結片３０を介して図に矢印で示す範囲で相対的に回転可能である。そして、第１のバンド部材１０１は、第１連結片３０に対して、歯部４８と第１突部１０８とが噛み合う複数の位置で停止可能である。したがって、耳当て装置１によれば、ヘッドバンド１０と耳カップ２０とを所定角度に設定することができる。
【００５５】
押え面１１１は、第１支持部１０７を中心に第１連結片３０の本体３１（耳カップ２０）を回転させたとき、回転軸部３２が軸受部４２から離れる方向への移動を制限することができる。押え面１１１は、第１支持部１０７を中心とした円弧上にあるため、回転軸部３２の上面を常に接触（わずかに離間してもよい）することができるからである。このように、耳当て装置１によれば、第１バンド部材１０１と耳カップ２０とを第１支持部１０７を中心に相対的に回転させても押え面１１１によって回転軸部３２を軸受部４２に保持することができる。
【００５６】
最後に、耳当て装置１の骨組を形成した後、ヘッドバンド１０と耳カップ２０を保温カバー２で被覆する。なお、ヘッドバンド１０を第２連結片４０と連結する前に、ヘッドバンド部分の保温カバーを被覆しておいてもよい。
【００５７】
４．使用方法
図１１は、耳当て装置１を人の頭部に装着した状態を説明する側面図である。図１２は、実施の形態に係る耳当て装置１を折り畳んだ状態の斜視図である。
【００５８】
図１１に示すように、耳当て装置１を人の頭部に装着すると、耳カップ２０に対してヘッドバンド１０を破線で示すように７カ所で停止するように回転させることができる。使用する人の髪型やファッションにあわせて、ヘッドバンド１０の位置を前後に適宜調節することができる。
【００５９】
耳カップ２０に対するヘッドバンド１０の角度は、歯部４８の歯数と歯が形成される範囲に依存するが、本実施の形態における歯数や範囲に限定されるものでは無く、適宜増減することができる。例えば、歯部４８の歯先円直径を大きくしたり、隣接する歯の間隔を短くしたりすれば歯数を増やすことができる。
【００６０】
図１２は、説明のため、耳当て装置１の保温カバー２を外した状態で示している。ヘッドバンド１０を縮め、ヘッドバンド１０に対して第２連結片４０を９０度回転し、第２連結片４０に対して回転軸部３２を中心に耳カップ２０（第１連結片３０）を内側に回転することで、耳カップ２０の内側面同士が向き合うようにコンパクトに折りたたむことができる。
【００６１】
５．変形例
変形例に係る耳当て装置は、ヘッドバンド１０が両端に押え面１１１，１１２を有し（図２及び図３を参照）、回転軸部３２が所定位置で押え面１１１，１１２と接触する回転停止部３３を有し、回転停止部３３が押え面１１１，１１２に接触することで、耳カップ２０（図１及び図９を参照）を軸受部４２に対して固定することができる。変形例に係る耳当て装置によれば、耳カップ２０を軸受部４２に対して所定位置で固定することができる。
【００６２】
以下、図１３〜図１８を用いて上記実施形態に係る耳当て装置の変形例について説明する。図１３は、変形例に係る耳当て装置の第２連結片４０の斜視図である。図１４〜図１５は、変形例に係るヘッドバンド１０、第１連結片３０及び第２連結片４０の連結構造を説明する一部縦断面の側面図である。図１７及び図１８は、変形例に係る第２連結片４０に対するヘッドバンド１０の回転構造を説明する連結部分の正面図であり、図１７は図１５に対応し、図１８は図１６に対応する。
【００６３】
変形例に係る耳当て装置は、回転軸部３２の形状と、略Ｊ字状の第２連結片４０の一方の端部が上方に長く延びる形状とが上記実施形態に係る耳当て装置１と異なる。したがって、それ以外の部分についての説明は重複することになるためここでは省略する。
【００６４】
図１３に示すように、第２連結片４０の一端が第１挿通孔４４の高さまで延在する。このように第２連結片４０の一端が上方まで延在することで、図１４に示すように組み立てる際に、第２連結片４０の第１挿通孔４４へ第１連結片３０を導き易い。また、第１支持部１０７を第２挿通孔４６へ通す際には第２連結片４０を押し開くように弾性変形させて配置し、上方まで延びた部分で第１のバンド部材１０１の裏側を押すことで第１支持部１０７を第２挿通孔４６へ挿通する。
【００６５】
図１４に示すように、回転軸部３２は略円柱状であるが、回転軸部３２に本体３１が接続する部分の反対側に回転停止部３３が突出して設けられる。回転停止部３３が設けられることにより、回転軸部３２は側面視で半円状の部分と略三角形の部分とが組み合わされた水滴のような外形を有する。
【００６６】
したがって、図１５に示すように、第１連結片３０と第２連結片４０とが組み立てられた状態で、回転軸部３２の半円状の部分は軸受部４２の曲面上に沿って回転可能である。そして、第１のバンド部材１０１（第２のバンド部材１０２も同様の構成となる）の押え面１１１と回転軸部３２の表面とは十分な間隔を有しており、互いに接触しない。第１連結片３０がこのような状態にあるときは、上記実施形態で説明したように、耳カップを内側に折り畳んだ状態である。
【００６７】
図１５に示す矢印の方向へ第１連結片３０を回転させると、図１６に示す耳カップを広げた状態になる。図１６の状態が使用者が頭部に装着する位置関係を示す。
【００６８】
図１６に示すように、第１連結片３０の回転停止部３３が押え面１１１にわずかな押し代を有して接触している。したがって、使用者は、図１５の状態から図１６の状態へ耳カップ（第１連結片３０）を広げる際に、そのわずかな押し代分の抵抗によって耳カップが所定の位置（使用状態の位置）になったことを理解する。そして、その押し代分は回転停止部３３及び押え面１１１の弾性変形等により吸収されて、耳カップ（第１連結片３０）を広げた位置で維持することができる。
【００６９】
また、使用者が耳当て装置を折り畳もうとする場合（図１６の矢印）、耳カップ（第１連結片３０）を内側へわずかに倒すだけで回転停止部３３と押え面１１１との接触が解除されるため、押し代に起因する弾性変形の復元により勢いよく耳カップ（第１連結片３０）が図１５の状態へ自動的に戻る。これによって、使用者は容易に耳当て装置をワンタッチで容易に折り畳むことができる。
【００７０】
図１６の状態における押え面１１１と回転停止部３３との接触による抵抗は、第１突部１０８と歯部４８との間の抵抗に比べればわずかなものであるので第１のバンド部材１０１の第１支持部１０７を中心とした前後方向の回転における抵抗としてはなくてもよい。
【００７１】
本発明は、上述した実施の形態及び変形例に限定されるものではなく、さらに種々の変形が可能である。例えば、本発明は、実施の形態で説明した構成と実質的に同一の構成（例えば、機能、方法、及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００７２】
１…耳当て装置、２…保温カバー、１０…ヘッドバンド、２０…耳カップ、２２…透孔
、２４…挿入孔、２５…バンド係合口、２６…バンド保持ガイド、３０…第１連結片、３１…本体、３２…回転軸部、３３…回転停止部、３４…挿入部、３６…抜け止め部、４０…第２連結片、４２…軸受部、４４…第１挿通孔、４４ａ…内停止面、４４ｂ…外停止面、４６…第２挿通孔、４８…歯部、１０１…第１のバンド部材、１０２…第２のバンド部材、１０３…摺動孔、１０４…摺動孔、１０５…第１係合子、１０６…第２係合子、１０７…第１支持部、１０７ａ…頭部、１０７ｂ…軸部、１０７ｃ…スリット、１０８…第１突部、１０９…第２支持部、１０９ａ…頭部、１０９ｂ…軸部、１１０…第２突部、１１１…押え面、１１２…押え面
【要約】      （修正有）【課題】ヘッドバンドと耳カップとを所定角度に設定可能な耳当て装置を提供する。【解決手段】耳当て装置１は、ヘッドバンドと、２つの耳カップ２０と、第１連結片３０及び第２連結片４０と、を有する。ヘッドバンドは、２つの支持部１０７と、２つの突部と、を有する。第１連結片３０は、一端が耳カップ２０に接続される本体と、本体の他端に一体形成された回転軸部と、を有する。第２連結片４０は、挿通孔と、複数の歯を有する歯部と、軸受部と、を有する。耳カップ２０は、支持部１０７を中心に第２連結片４０及び第１連結片３０を介して回転可能であり、歯部と突部とが噛み合う複数の位置で停止可能である。【選択図】図１【図２】
0005931261.tif 000002
【図３】
0005931261.tif 000003
【図４】
0005931261.tif 000004
【図５】
0005931261.tif 000005
【図６】
0005931261.tif 000006
【図７】
0005931261.tif 000007
【図８】
0005931261.tif 000008
【図９】
0005931261.tif 000009
【図１０】
0005931261.tif 000010
【図１１】
0005931261.tif 000011
【図１２】
0005931261.tif 000012
【図１３】
0005931261.tif 000013
【図１４】
0005931261.tif 000014
【図１５】
0005931261.tif 000015
【図１６】
0005931261.tif 000016
【図１７】
0005931261.tif 000017
【図１８】
0005931261.tif 000018
【図１】
0005931261.tif 000019